(57)【特許請求の範囲】
【請求項１】
運転モードや設定温度の変更などを行う操作部と、現在の運転モードや設定温度などを表示する複数の表示部と、前記操作部の操作による設定の変更や前記表示部の表示内容を演算処理する制御部とを備えたリモコン装置において、前記複数の表示部にて点滅表示を行うための点滅周期を生み出す通常点滅用タイマと、前記操作部の操作によって始動し、前記複数の表示部の少なくとも一つの表示部にて一定期間点滅表示を行うための点滅周期を生み出す一定期間点滅用タイマとを備え、前記制御部は、前記操作部の操作によって少なくとも一つの表示部にて前記通常点滅用タイマから前記一定期間点滅用タイマに切り換えて前記一定期間点滅用タイマによる一定期間点滅を行い、一定期間点滅表示後に、前記一定期間点滅用タイマから前記通常点滅用タイマに切り換えて前記通常点滅用タイマによる点滅表示に戻し、前記複数の表示部の点滅周期を同期させたことを特徴とするリモコン装置。
【請求項２】
前記通常点滅用タイマを前記制御部に設けたことを特徴とする請求項１に記載のリモコン装置。
【請求項３】
前記一定期間点滅用タイマを前記制御部に設けたことを特徴とする請求項１に記載のリモコン装置。
【発明の詳細な説明】
【技術分野】
【０００１】
本発明は、空調機等の遠隔制御に用いられるリモコン装置に関する。
【背景技術】
【０００２】
従来のリモコン装置は、表示部と、この表示部を点滅させる点滅手段を有するマイクロコンピュータ（以下、マイコンと言う）を備えており、例えば、空調機が故障するなど前記空調機の状態に変化が生じた場合に、前記表示部を点滅させて、故障発生状態であることを使用者に注意喚起するものであった（例えば、特許文献１）。
【先行技術文献】
【特許文献】
【０００３】
【特許文献１】特開２００１−２７２０９７号公報
【発明の概要】
【発明が解決しようとする課題】
【０００４】
従来のリモコン装置では、例えば、前記空調機の状態（前記リモコン装置の状態も含む）を使用者に注意喚起するため前記表示部を点滅させているとき（仮に、第１の点滅周期と言い、この周期は、点灯が０．５秒、消灯が０．５秒）に、さらに、別の注意喚起を行うために前記表示部を点滅させる場合（仮に、第２の点滅周期と言い、第１の点滅周期と点滅周期が同一）に、別の注意喚起を行う事項を発端として、前記マイコンは、前記点滅手段の周期を再スタートさせ、前記表示部を一定期間点滅（第２の点滅周期）とした後、周期を変更することなく前記表示部の点滅（第１の点滅周期）を継続するものであった。
【０００５】
前記リモコン装置が、前記表示部を、複数、例えば、第１の表示部、第２の表示部とし、２つ備え、かつ、前記各表示部に前記点滅手段を設けていた場合、前記各表示部が、前記第１の点滅周期で、同期して点滅している状態で、仮に一方の表示部に対して、別の注意喚起を行うために前記表示部を点滅させると、前記一方の表示部の前記点滅手段の周期を再スタートさせて、前記表示部を一定期間点滅（第２の点滅周期）とした後、周期を変更することなく前記表示部を点滅（第１の点滅周期）とした場合に、前記第１、第２の表示部の点滅が、同期せず、見栄えが悪く、効果的な注意喚起ができないという問題があった。
【０００６】
そこで、本発明は前述した問題点に着目し、複数の表示部を備えたリモコン装置において、前記複数の表示部の点滅周期を同期させることが可能なリモコン装置を提供することを目的とする。
【課題を解決するための手段】
【０００７】
本発明のリモコン装置は、運転モードや設定温度の変更などを行う操作部と、現在の運転モードや設定温度などを表示する複数の表示部と、前記操作部の操作による設定の変更や前記表示部の表示内容を演算処理する制御部とを備えたリモコン装置において、前記複数の表示部にて点滅表示を行うための点滅周期を生み出す通常点滅用タイマと、前記操作部の操作によって始動し、前記複数の表示部の少なくとも一つの表示部にて一定期間点滅表示を行うための点滅周期を生み出す一定期間点滅用タイマとを備え、前記制御部は、前記操作部の操作によって少なくとも一つの表示部にて前記通常点滅用タイマから前記一定期間点滅用タイマに切り換えて前記一定期間点滅用タイマによる一定期間点滅を行い、一定期間点滅表示後に、前記一定期間点滅用タイマから前記通常点滅用タイマに切り換えて前記通常点滅用タイマによる点滅表示に戻し、前記複数の表示部の点滅周期を同期させたものである。
【０００８】
また、前記通常点滅用タイマを前記制御部に設けたものである。
【０００９】
また、前記一定期間点滅用タイマを前記制御部に設けたものである。
【発明の効果】
【００１０】
本発明は、複数の表示部を備えたリモコン装置において、前記複数の表示部の点滅周期を同期することが可能なリモコン装置を提供することができる。
【図面の簡単な説明】
【００１１】
【図１】本発明の第１実施形態のブロック図。
【図２】同実施形態の表示部の動作を示すタイミングチャート。
【図３】同実施形態の処理フロー図。
【発明を実施するための形態】
【００１２】
以下、添付図面を用いて本発明の第１実施形態を説明する。
【００１３】
本発明の実施形態の説明は、空気調和機を遠隔操作するリモコン装置１に基づいて行う。本実施形態のリモコン装置１は、前記空気調和機の運転モードや設定温度の変更などを行う操作部２と、現在の運転モードや設定温度や使用者への注意喚起などを表示する表示部３と、操作部２の操作による設定の変更や表示部３の表示内容を演算処理する制御部４とを備えている。また、制御部４は、中央処理装置（以下、ＣＰＵという）５と、通常点滅用タイマ６と、一定期間点滅用タイマ７と、表示部用バッファ８とを備えている。なお、９は、水晶振動子である。
【００１４】
操作部２は、前記空気調和機の運転モードや設定温度の変更などを行うために、複数のボタン２ａを備えている。使用者が操作したボタン２ａに応じた信号を制御部４へ伝えるものである。
【００１５】
表示部３は、本実施形態では、第１の表示部３ａと第２の表示部３ｂとからなる複数の表示部で構成されている。各表示部３ａ、３ｂとも、日の字型に発光ダイオード（以下、ＬＥＤという）を配置した７セグメントＬＥＤ３ａ１、３ｂ１〜３ｂ４を備えている。７セグメントＬＥＤ３ａ１、３ｂ〜３ｂ４は、個々のセグメントを構成するＬＥＤが、制御部４に接続されている。第１の表示部３ａは、前記空気調和機の運転モードなどを表示するものであり、第２の表示部３ｂは、設定温度や使用者への注意喚起などを表示するものである。
【００１６】
本実施形態では、第１の表示部３ａは、空気調和機の運転モードを表示するものであり、第２の表示部３ｂは、空気調和機の運転状況や設定温度を切り換えて表示するものである。
【００１７】
制御部４は、マイクロコンピュータで構成されており、ＣＰＵ５やメモリ８などを備えており、本実施形態では、複数のタイマを内蔵している。本実施形態では、通常点滅用タイマ６と、一定期間点滅用タイマ７とを備えている。
【００１８】
通常点滅用タイマ６は、８ビットタイマからなり、水晶発振子９を用いた信号から作り出された時間をカウントし、第１、第２の表示部３ａ、３ｂを点滅表示するために、点滅の周期を計測するものである。本実施形態の表示部３ａ、３ｂの点滅の周期は、１Ｈｚであり、０．５秒の点灯と０．５秒の消灯を繰り返すものである。
【００１９】
一定期間点滅用タイマ７も通常点滅用タイマ６と同様で、第２の表示部３ａのみを点滅表示するために、点滅の周期を計測するものである。本実施形態の第２の表示部３ｂの点滅の周期は、１Ｈｚであり、０．５秒の点灯と０．５秒の消灯を繰り返すものである。
【００２０】
表示部用バッファ８は、ＣＰＵ５で演算し求めた表示部３ａ、３ｂの表示用データを一時的に保存しておくものである。
【００２１】
次に、本実施形態のリモコン装置１の処理と動作について、図２、３を用いて説明する。
【００２２】
リモコン装置１の処理は、開始してステップＳ１で、通常点滅用タイマ６を起動する。ステップＳ２で、前記空気調和機やリモコン装置１の状態をサンプリングする。
【００２３】
ステップＳ３では、ステップＳ２で検知した状態が、通常周期で点滅して表示するか否かを判定する。点滅して表示する場合は、ＹＥＳで、ステップＳ４へ進み、点滅せずに表示する場合は、ＮＯで、ステップＳ５へ進む。
【００２４】
ステップＳ４では、ＣＰＵ５が生成し、表示用バッファ８に保存した表示用データを通常点滅用タイマ６の周期によって点灯と消灯を行う設定とする。
【００２５】
ステップＳ５では、ステップＳ２で検知した状態が、一定期間点滅して表示するか否かを判定する。点滅して表示する場合は、ＹＥＳで、ステップＳ６へ進み、点滅せずに表示する場合は、ＮＯで、ステップＳ１１へ進む。
【００２６】
ステップＳ６では、一定期間点滅用タイマ７が起動中であるか否かを判定する。起動していない場合はＮＯで、ステップＳ７へ進み、起動中の場合はＹＥＳで、ステップＳ８へ進む。
【００２７】
ステップＳ７では、一定期間点滅用タイマ７を起動する。
【００２８】
ステップＳ８では、一定期間点滅用タイマ７が、起動してから一定期間（２秒）を経過したか否かを判定する。一定期間が経過していない場合は、ＮＯで、ステップＳ９へ進み、一定期間が経過した場合は、ＹＥＳで、ステップＳ１１へ進む。
【００２９】
ステップＳ９では、ＣＰＵ５が生成し表示用バッファ８に保存した表示用データを一定期間点滅用タイマ７の周期によって点灯と消灯を行う設定とする。
【００３０】
ステップＳ１０では、表示用バッファ８に保存した表示用データを設定した点滅タイマの周期によって、点灯と消灯を行う。
【００３１】
ステップＳ１１では、一定期間点滅用タイマ７を停止し、ステップＳ１０へ進む。
【００３２】
次に、リモコン装置１の動作について、以下の状況を例にとって、説明する。
【００３３】
リモコン装置１と前記空気調和機との状況は、以下のとおりである。前記空気調和機の状況は、霜取り状態であり、リモコン装置１は、第１の表示部３ａが、「−」を点滅表示し、第２の表示部３ｂが、「−ＤＦ−」を点滅表示し、霜取り状態を報知中に、リモコン装置１の操作部２を操作したが、リモコン装置１が、操作部２の操作を無効と判断し、操作部２の操作を受け付けないという状況を、第２の表示部３ｂにて「−−−−」という点滅表示によって報知するという状態である。
【００３４】
以下、リモコン装置１の動作について、時間の経過に沿って説明する。
【００３５】
操作部２の操作が、行われる以前の状況について説明する。リモコン装置１は、ステップＳ２で、前記空気調和機が、霜取り状態であることを検知する。
【００３６】
ステップＳ３で、前記空気調和機の霜取り状態は、通常周期で点滅して表示する場合に該当するので、ステップＳ４へ進み、ステップＳ４で、ＣＰＵ５が生成し表示用バッファ８に保存した表示用データを通常点滅用タイマ６の周期によって点灯と消灯を行う設定とする。なお、表示用データは、第１の表示部３ａが、「−」で、第２の表示部３ｂが、「−ＤＦ−」である。
【００３７】
ステップＳ５の判定で、ＮＯと判定し、ステップＳ１１へ進む。
【００３８】
ステップＳ１１で、一定期間点滅用タイマ７を停止し、ステップＳ１０へ進む。
【００３９】
ステップＳ１０にて、表示用バッファ８に保存した表示用データを設定した通常点滅用タイマ６の周期によって、第１、第２の表示部３ａ、３ｂの表示部の点灯と消灯を同期させて行う。
【００４０】
次に、操作部２が操作された時について説明する。リモコン装置１は、ステップＳ２で、前記空気調和機が、霜取り状態であることと、リモコン装置１の操作部２が操作されたことを検知する。ステップＳ３、ステップＳ４は、同一の処理を行うので、説明は省略し、ステップＳ５の処理を説明する。
【００４１】
ステップＳ５では、前記空気調和機の霜取り状態では、操作部２の操作を受け付けず、操作無効を一定期間の点滅によって表示する場合に該当するために、ＹＥＳと判定し、ステップＳ６へ進む。
【００４２】
ステップＳ６では、一定期間点滅用タイマ７が起動中でないと判定し、ステップＳ７へ進む。
【００４３】
ステップＳ７では、一定期間点滅用タイマ７を起動する。
【００４４】
ステップＳ８では、一定期間点滅用タイマ７が起動してから一定期間（２秒）を経過していないでの、ＮＯと判定し、ステップＳ９へ進む。
【００４５】
ステップＳ９では、ＣＰＵ５が生成し表示用バッファ８に保存した表示用データを一定期間点滅用タイマ７の周期によって点灯と消灯を行う設定とする。なお、表示用データは、第１の表示部３ａが、「−」で、第２の表示部３ｂが、「−−−−」である。
【００４６】
ステップＳ１０では、表示用バッファ８に保存した表示用データを設定した一定期間点滅用タイマ７の周期によって、第２の表示部３ｂの点灯と消灯を行い、第１の表示部３ａは、通常点滅用タイマ６の周期によって、点灯と消灯を行う。本実施形態では、表示部３の表示内容は、「−−−−」となり、点滅周期は、一定期間点滅用タイマ７の点滅周期に切り替わって点滅する。この時、第１の表示部３ａと第２の表示部３ｂとは、異なる周期にて、点灯と消灯を開始し、２秒間継続する。
【００４７】
次に、操作部２が操作されて２秒経過した時について説明する。なお、ステップＳ２からステップＳ５は、同一の処理を行うので説明は省略し、ステップＳ６の処理から説明する。
【００４８】
ステップＳ６では、一定期間点滅用タイマ７が起動中と判定し、ステップＳ８へ進む。  ステップＳ８では、一定期間点滅用タイマ７が起動してから一定期間（２秒）を経過したので、ＹＥＳとなり、ステップＳ１１へ進み、ステップＳ１１で、一定期間点滅用タイマ７を停止し、ステップＳ１０へ進む。
【００４９】
ステップＳ１０では、表示用バッファ８に保存した表示用データを設定した通常点滅用タイマ６の周期によって、第１、第２の表示部３ａ、３ｂと同期させて点灯と消灯を行う。本実施形態では、第２の表示部３ｂの表示内容は、「−ＤＦ−」となり、点滅周期は、通常点滅用タイマ６の点滅周期に切り替わって点滅する。
【００５０】
以上のように構成したことによって、本発明は、複数の表示部３ａ、３ｂを備えたリモコン装置１において、複数の表示部３ａ、３ｂの点滅周期を同期することができる。
【産業上の利用可能性】
【００５１】
本発明は、複数の表示部を備え、複数の表示部において、点滅表示するリモコン装置に利用可能である。
【符号の説明】
【００５２】
１      リモコン装置
２      操作部
２ａ    ボタン
３      表示部
３ａ    第１表示部
３ａ１  ７セグメントＬＥＤ
３ｂ    第２表示部
３ｂ１〜３ｂ４  ７セグメントＬＥＤ
４      制御部
５      ＣＰＵ
６      通常点滅用タイマ
７      一定期間点滅用タイマ
８      表示用バッファ
９      水晶振動子
【図１】
0005574168.tif 000002
【図２】
0005574168.tif 000003
【図３】
0005574168.tif 000004